(57)【要約】【課題】アンテナ切換回数を最小限に抑えて最適なアンテナを決定すること。【解決手段】この受信機１００では、３以上のアンテナ１０１によって電波が受信されると、それぞれ伝送信号が出力される。選択手段１０２により２つのアンテナが選択されると、２つのアンテナから出力された伝送信号はそれぞれ復調されて合成される。また、検出手段１０６によりアンテナ１０１から出力される伝送信号の品質レベルが検出される。少なくともいずれか一方のアンテナから出力された伝送信号の品質レベルが所定レベルより低い場合、制御手段１０７により、アンテナ１０１から出力された伝送信号の品質レベルに基づいて、アンテナ１０１から２つのアンテナが選択される。したがって、選択されたアンテナから出力された伝送信号の品質レベルが所定レベルよりも低くなると、検出された伝送信号の品質レベルから最適なアンテナを選択でき、受信品質が向上する。【選択図】        図１
2005159539.tif 000002
【特許請求の範囲】
【請求項１】
電波を受信して伝送信号を出力する少なくとも３以上のアンテナと、
前記３以上のアンテナから２つのアンテナを選択する選択手段と、
前記選択手段によって選択されている前記２つのアンテナのうち、一方のアンテナから出力される伝送信号を復調することによって復調信号を生成する第１の復調信号生成手段と、
前記選択手段によって選択されている前記２つのアンテナのうち、他方のアンテナから出力される伝送信号を復調することによって復調信号を生成する第２の復調信号生成手段と、
前記第１の復調信号生成手段によって生成された復調信号および前記第２の復調信号生成手段によって生成された復調信号を合成する合成手段と、
前記３以上のアンテナから出力される伝送信号の品質レベルを検出する検出手段と、
前記選択手段によって選択されている前記２つのアンテナのうち少なくともいずれか一方のアンテナから出力された伝送信号の品質レベルが所定レベルより低い場合、前記３以上のアンテナから出力された伝送信号の品質レベルに基づいて前記選択手段を制御する制御手段と、
を備えることを特徴とする受信機。
【請求項２】
前記検出手段は、前記選択手段によって選択されている前記２つのアンテナから出力される伝送信号の品質レベルのみを検出し、
前記制御手段は、前記選択手段によって選択されている前記２つのアンテナのうち、少なくともいずれか一方のアンテナから出力される伝送信号の品質レベルが所定レベルより低い場合にのみ、前記選択手段によって選択されていないアンテナから出力される伝送信号の品質レベルを検出するように前記検出手段を制御することを特徴とする請求項１に記載の受信機。
【請求項３】
前記制御手段は、前記選択手段によって選択されている前記２つのアンテナのうち、いずれか一方のアンテナから出力された伝送信号の品質レベルが所定レベルより低い場合には、前記一方のアンテナの代わりに、選択されていないアンテナの中から前記伝送信号の品質レベルが所定レベル以上となるアンテナを選択するように前記選択手段を制御することを特徴とする請求項１または２に記載の受信機。
【請求項４】
前記制御手段は、前記選択手段によって選択されている前記２つのアンテナのうち、いずれか一方のアンテナから出力された伝送信号の品質レベルが所定レベルより低い場合には、前記一方のアンテナの代わりに、前記一方のアンテナおよび選択されていないアンテナの中から前記伝送信号の品質レベルが最も高いアンテナを選択するように前記選択手段を制御することを特徴とする請求項３に記載の受信機。
【請求項５】
前記制御手段は、前記選択手段によって選択されていないアンテナから出力された伝送信号の品質レベルがいずれも前記所定レベルよりも低い場合、前記一方のアンテナを代えないように前記選択手段を制御することを特徴とする請求項３または４に記載の受信機。
【請求項６】
前記制御手段は、前記選択手段によって選択されている前記２つのアンテナから出力された伝送信号の品質レベルがいずれも所定レベルより低い場合には、前記選択手段によって選択されている前記２つのアンテナに代えて、前記３以上のアンテナの中から前記伝送信号の品質レベルが最も高い２つのアンテナを選択するように前記選択手段を制御することを特徴とする請求項１または２に記載の受信機。
【請求項７】
前記制御手段は、前記選択手段によって選択されていないアンテナから出力された伝送信号の品質レベルがいずれも前記所定レベルよりも低い場合、前記選択手段によって選択されている前記２つのアンテナを代えないように前記選択手段を制御することを特徴とする請求項６に記載の受信機。
【請求項８】
前記検出手段は、前記第１および第２の復調信号生成手段によって生成された各復調信号に基づいて、前記選択手段によって選択されている前記２つのアンテナから出力された伝送信号の品質レベルを検出することを特徴とする請求項１に記載の受信機。
【請求項９】
前記制御手段は、前記選択手段によって選択されている前記２つのアンテナのうち、いずれか一方のアンテナから出力された伝送信号の品質レベルが所定レベルより低い場合には、前記一方のアンテナに代えて、選択されていないアンテナを順次選択するように前記選択手段を制御することを特徴とする請求項８に記載の受信機。
【請求項１０】
前記制御手段は、前記選択手段によって選択されている前記２つのアンテナから出力された伝送信号の品質レベルがいずれも所定レベルより低い場合には、前記選択手段によって選択されている前記２つのアンテナのうちの一方のアンテナに代えて、選択されていないアンテナを順次選択するように前記選択手段を制御することを特徴とする請求項８に記載の受信機。
【請求項１１】
前記検出手段は、前記選択手段によって順次選択されたアンテナから出力された伝送信号の品質レベルを検出することによって、各々のアンテナから出力された伝送信号の品質レベルを検出し、
前記制御手段は、前記検出手段によって検出された、前記各々のアンテナから出力される伝送信号の品質レベルに基づいて前記選択手段を制御することを特徴とする請求項９または１０に記載の受信機。
【請求項１２】
前記制御手段は、前記選択手段によって選択されている前記２つのアンテナを両方とも変更する場合に、当該アンテナを１つずつ変更するように前記選択手段を制御することを特徴とする請求項１、２、６、８、１０または１１のいずれか一つに記載の受信機。
【請求項１３】
前記検出手段によって検出された、前記３以上のアンテナから出力される伝送信号の品質レベルを記憶する記憶手段を備え、
前記制御手段は、前記記憶手段に記憶されている、前記３以上のアンテナから出力された伝送信号の品質レベルに基づいて前記選択手段を制御することを特徴とする請求項１〜１２のいずれか一つに記載の受信機。
【請求項１４】
前記制御手段は、前記第１の復調信号生成手段によって生成された復調信号と前記第２復調信号生成手段によって生成された復調信号との合成比率を変更するように前記合成手段を制御することを特徴とする請求項１〜１３のいずれか一つに記載の受信機。
【請求項１５】
電波を受信する少なくとも３以上のアンテナから出力される各伝送信号のうち、２つのアンテナから出力される伝送信号をそれぞれ復調することによって復調信号を生成し、生成された前記各復調信号を合成する受信方法において、
前記３以上のアンテナから２つのアンテナを選択する第１の選択工程と、
前記３以上のアンテナから出力される伝送信号の品質レベルを検出する検出工程と、
前記第１の選択工程によって選択された前記２つのアンテナのうち、少なくともいずれか一方のアンテナから出力された伝送信号の品質レベルが所定レベルより低い場合、前記３以上のアンテナから出力された伝送信号の品質レベルに基づいて、前記３以上のアンテナから２つのアンテナを選択する第２の選択工程と、
を含んだことを特徴とする受信方法。
【請求項１６】
電波を受信する少なくとも３以上のアンテナから２つのアンテナを選択し、選択された２つのアンテナから出力される伝送信号をそれぞれ復調することによって復調信号を生成し、生成された前記各復調信号を合成する受信機をコンピュータによって制御するための受信制御用プログラムにおいて、
前記受信制御用プログラムは、コンピュータに、
前記３以上のアンテナから出力される伝送信号の品質レベルを検出させ、
選択されている前記２つのアンテナのうち少なくともいずれか一方のアンテナから出力させた伝送信号の品質レベルが所定レベルより低い場合に、前記３以上のアンテナから出力された伝送信号の品質レベルに基づいて前記３以上のアンテナから２つのアンテナを選択させることを特徴とする受信制御用プログラム。
【請求項１７】
請求項１６に記載の受信制御用プログラムを記録した記録媒体。
【発明の詳細な説明】
【技術分野】
【０００１】
この発明は、受信機、受信方法、受信制御用プログラム及び記録媒体に関する。
【背景技術】
【０００２】
地上波デジタル放送などの無線通信では、無線通信の高速化および高品質化を図るためＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が採用されており、さらに、マルチパスフェージングによるＯＦＤＭ信号の受信性能の低下を防止するため、ダイバーシティ受信装置が採用されている。
【０００３】
このようなダイバーシティ受信装置には、例えば、ＢＥＲが劣化するほど高い受信レベルが印加されたときにも、ダイバーシティ特性の劣化が生じることのない合成ダイバーシティ受信装置も開示されている。このダイバーシティ受信装置では、各系統の受信信号の受信レベルをレベル検出回路にて検出し、その受信レベルを閾値比較回路にて受信ＢＥＲが劣化するようなレベルの閾値と比較し、その比較結果より２値軟判定回路にて、どの系統を選択するかを決定して２値の判定値を生成し、重み付け係数生成回路にてその２値の判定値から各受信信号の重み付け係数を生成して、乗算合成回路にてその重み付け係数と復調回路からの復調信号より合成ダイバーシティ出力を求める（たとえば、下記特許文献１を参照。）。
【０００４】
【特許文献１】特開２００２−３０００９８号公報
【発明の開示】
【発明が解決しようとする課題】
【０００５】
しかしながら、上述した特許文献１の従来技術では、複数のアンテナから出力される各受信信号を、複数のアンテナに対応して接続された複数のチューナによって復調し、復調された各受信信号を合成する構成であるため、アンテナの受信レベルが低下した場合、その低下した受信レベルの受信信号を用いて復調および合成をしなければならず、受信品質が低下するという問題が一例として挙げられる。
【課題を解決するための手段】
【０００６】
上述した課題を解決し、目的を達成するため、請求項１の発明にかかるダイバーシティ受信機は、電波を受信して伝送信号を出力する少なくとも３以上のアンテナと、前記３以上のアンテナから２つのアンテナを選択する選択手段と、前記選択手段によって選択されている前記２つのアンテナのうち、一方のアンテナから出力される伝送信号を復調することによって復調信号を生成する第１の復調信号生成手段と、前記選択手段によって選択されている前記２つのアンテナのうち、他方のアンテナから出力される伝送信号を復調することによって復調信号を生成する第２の復調信号生成手段と、前記第１の復調信号生成手段によって生成された復調信号および前記第２の復調信号生成手段によって生成された復調信号を合成する合成手段と、前記３以上のアンテナから出力される伝送信号の品質レベルを検出する検出手段と、前記選択手段によって選択されている前記２つのアンテナのうち少なくともいずれか一方のアンテナから出力された伝送信号の品質レベルが所定レベルより低い場合、前記３以上のアンテナから出力された伝送信号の品質レベルに基づいて前記選択手段を制御する制御手段と、を備えることを特徴とする。
【０００７】
また、請求項１５の発明にかかる受信方法は、電波を受信する少なくとも３以上のアンテナから出力される各伝送信号のうち、２つのアンテナから出力される伝送信号をそれぞれ復調することによって復調信号を生成し、生成された前記各復調信号を合成する受信方法において、前記３以上のアンテナから２つのアンテナを選択する第１の選択工程と、前記３以上のアンテナから出力される伝送信号の品質レベルを検出する検出工程と、前記第１の選択工程によって選択された前記２つのアンテナのうち、少なくともいずれか一方のアンテナから出力された伝送信号の品質レベルが所定レベルより低い場合、前記３以上のアンテナから出力された伝送信号の品質レベルに基づいて、前記３以上のアンテナから２つのアンテナを選択する第２の選択工程と、を含んだことを特徴とする。
【０００８】
また、請求項１６にかかる受信制御用プログラムは、電波を受信する少なくとも３以上のアンテナから２つのアンテナを選択し、選択された２つのアンテナから出力される伝送信号をそれぞれ復調することによって復調信号を生成し、生成された前記各復調信号を合成する受信機をコンピュータによって制御するための受信制御用プログラムにおいて、前記受信制御用プログラムは、コンピュータに、前記３以上のアンテナから出力される伝送信号の品質レベルを検出させ、選択されている前記２つのアンテナのうち少なくともいずれか一方のアンテナから出力させた伝送信号の品質レベルが所定レベルより低い場合に、前記３以上のアンテナから出力された伝送信号の品質レベルに基づいて前記３以上のアンテナから２つのアンテナを選択させることを特徴とする。
【０００９】
また、請求項１７に記載の記録媒体は、請求項１６に記載の受信制御用プログラムを記録したことを特徴とする。
【発明を実施するための最良の形態】
【００１０】
以下に添付図面を参照して、この発明にかかる受信機および受信方法の好適な実施の形態を詳細に説明する。
【００１１】
（実施の形態）
図１は、この発明の実施の形態にかかる受信機１００の機能的構成を示すブロック図である。図１に示すように、受信機１００は、少なくとも３以上のアンテナ１０１と、選択手段１０２と、第１の復調信号生成手段１０３と、第２の復調信号生成手段１０４と、合成手段１０５と、検出手段１０６と、制御手段１０７と、記憶手段１０８とを備えている。
【００１２】
少なくとも３以上のアンテナ１０１は、任意の放送局から送信されてくる電波を受信して、伝送信号を出力する。選択手段１０２は、３以上のアンテナから２つのアンテナを選択する。第１の復調信号生成手段１０３は、選択手段１０２によって選択されている２つのアンテナのうち、一方のアンテナから出力される伝送信号を復調することによって復調信号を生成する。また、第２の復調信号生成手段１０４は、選択手段１０２によって選択されている２つのアンテナのうち、他方のアンテナから出力される伝送信号を復調することによって復調信号を生成する。合成手段１０５は、第１の復調信号生成手段１０３によって生成された復調信号および第２の復調信号生成手段１０４によって生成された復調信号を合成し、合成信号を出力する。
【００１３】
検出手段１０６は、３以上のアンテナ１０１から出力される伝送信号の品質レベルを検出する。この検出手段１０６により検出される品質レベルとしては、伝送信号の電力、信号レベル対雑音比、復調信号から得られるパイロット信号の情報（振幅及び位相）、ビットエラーレート、インパルスレスポンスなどがある。
【００１４】
制御手段１０７は、選択手段１０２によって選択されている２つのアンテナのうち、少なくともいずれか一方のアンテナから出力された伝送信号の品質レベルが所定レベルより低い場合、３以上のアンテナから出力された伝送信号の品質レベルに基づいて選択手段１０２を制御する。記憶手段１０８は、検出手段１０６によって検出された、３以上のアンテナ１０１から出力される伝送信号の品質レベルを記憶する。
【００１５】
この受信機１００では、任意の放送局から電波が送信されてくると、少なくとも３以上のアンテナ１０１によってその電波が受信される。３以上のアンテナ１０１によって電波が受信されると、３以上のアンテナ１０１からそれぞれ伝送信号が出力される。そして、３以上のアンテナ１０１から２つのアンテナが選択されると、選択された２つのアンテナから出力された伝送信号はそれぞれ復調されて復調信号が出力される。そして、出力された各復調信号は合成される。
【００１６】
また、受信機１００では、３以上のアンテナ１０１から出力される伝送信号の品質レベルが検出されている。そして、選択されている２つのアンテナのうち、少なくともいずれか一方のアンテナから出力された伝送信号の品質レベルが所定レベル以上である場合は、選択されている２つのアンテナから出力されてくる伝送信号が復調される。
【００１７】
一方、選択されている２つのアンテナのうち、少なくともいずれか一方のアンテナから出力された伝送信号の品質レベルが所定レベルより低い場合、３以上のアンテナ１０１から出力された伝送信号の品質レベルに基づいて、３以上のアンテナ１０１から２つのアンテナが選択される。したがって、この受信機１００によれば、選択されたアンテナから出力された伝送信号の品質レベルが所定レベルよりも低くなると、検出された伝送信号の品質レベルから最適なアンテナを選択することができ、受信品質の向上を図ることができる。
【００１８】
上述した検出手段１０６は、すべてのアンテナ１０１から出力された品質レベルを常に検出する。このようにすることで、選択されたアンテナから出力された伝送信号の品質レベルが所定レベルより低下した場合に、即座にすべてのアンテナ１０１から出力された伝送信号の品質レベルを判断して最適なアンテナを選択することができる。
【００１９】
また、検出手段１０６は、選択手段１０２によって選択されている２つのアンテナから出力される伝送信号の品質レベルのみを検出することもできる。この場合、制御手段１０７は、選択手段１０２によって選択されている２つのアンテナのうち、少なくともいずれか一方のアンテナから出力される伝送信号の品質レベルが所定レベルより低い場合にのみ、選択手段１０２によって選択されていないアンテナから出力される伝送信号の品質レベルを検出するように検出手段１０６を制御する。
【００２０】
これによれば、検出手段１０６によって品質レベルが検出される伝送信号は、選択手段１０２によって選択されているアンテナから出力される伝送信号となり、選択されていないアンテナから出力される伝送信号の品質レベルは検出されない。これにより、検出手段１０６は、選択されている２つのアンテナの伝送信号のみを監視すればよく、検出手段１０６の省電力化を図ることができる。また、少なくともいずれか一方のアンテナから出力される伝送信号の品質レベルが所定レベルより低い場合にのみ、選択手段１０２によって選択されていないアンテナから出力される伝送信号の品質レベルを検出することにより、受信品質を維持しつつ、検出手段１０６の省電力化を図ることができる。
【００２１】
さらに、制御手段１０７は、選択手段１０２によって選択されている２つのアンテナのうち、いずれか一方のアンテナから出力された伝送信号の品質レベルが所定レベルより低い場合には、一方のアンテナの代わりに、選択されていないアンテナの中から伝送信号の品質レベルが所定レベル以上となるアンテナを選択するように選択手段１０２を制御することができる。これによれば、伝送信号の品質レベルが所定レベルより低くなった一方のアンテナを他のアンテナに切り換えることとしたため、両方のアンテナを同時に切り換える場合に発生する切り換えノイズを低減することができる。
【００２２】
また、伝送信号の品質レベルが所定レベルより低くなったアンテナに代えて、伝送信号の品質レベルが所定レベル以上となるアンテナを常時選択することができる。したがって、復調される伝送信号の品質レベルを所定レベル以上に維持することができ、受信品質の向上を図ることができる。
【００２３】
また、制御手段１０７は、選択手段１０２によって選択されている２つのアンテナのうち、いずれか一方のアンテナから出力された伝送信号の品質レベルが所定レベルより低い場合には、一方のアンテナの代わりに、一方のアンテナおよび選択されていないアンテナの中から伝送信号の品質レベルが最も高いアンテナを選択するように選択手段１０２を制御することもできる。
【００２４】
これによれば、選択されていないアンテナから出力された伝送信号の品質レベルが、一方のアンテナから出力された伝送信号の品質レベルよりも高い場合、選択されていないアンテナの中から、伝送信号の品質レベルが最も高いアンテナを選択することができる。したがって、復調される伝送信号の品質レベルを所定レベル以上に維持することができ、受信品質の向上を図ることができる。また、一方のアンテナから出力された伝送信号の品質レベルが、選択されていないアンテナから出力された伝送信号の品質レベルよりも高い場合、一方のアンテナを選択するため、アンテナの切換頻度を抑制することができ、選択手段１０２の省電力化を図ることができる。
【００２５】
さらに、制御手段１０７は、選択手段１０２によって選択されていないアンテナから出力された伝送信号の品質レベルがいずれも所定レベルよりも低い場合、一方のアンテナを代えないように選択手段１０２を制御することもできる。これによれば、アンテナの切換頻度を低減し、選択されている２つのアンテナを切り換えることにより切換ノイズが発生することを防止することができる。
【００２６】
さらに、制御手段１０７は、選択手段１０２によって選択されている２つのアンテナから出力された伝送信号の品質レベルがいずれも所定レベルより低い場合には、選択手段１０２によって選択されている２つのアンテナに代えて、３以上のアンテナ１０１の中から伝送信号の品質レベルが最も高い２つのアンテナを選択するように選択手段１０２を制御することもできる。これによれば、品質レベルが最も高いアンテナを選択することができるため、復調される伝送信号の品質レベルの向上を図ることができる。
【００２７】
またこの場合、制御手段１０７は、選択手段１０２によって選択されていないアンテナから出力された伝送信号の品質レベルがいずれも所定レベルよりも低い場合、選択手段１０２によって選択されている２つのアンテナを代えないように選択手段１０２を制御することとしてもよい。これによれば、アンテナの切換頻度を低減し、選択されている２つのアンテナを切り換えることにより切換ノイズが発生することを防止することができる。
【００２８】
つぎに、上述した実施の形態にかかる受信機１００の機能的構成の他の例について説明する。図２は、この発明の実施の形態にかかる受信機１００の機能的構成の他の例を示すブロック図である。図１に示した受信機１００では、検出手段１０６は３以上のアンテナに接続され、３以上のアンテナ１０１から出力される伝送信号の品質レベルを検出することとしているが、図２に示す受信機２００では、検出手段１０６は、第１および第２の復調信号生成手段１０３、１０４に接続された構成となっており、第１および第２の復調信号生成手段１０３、１０４から出力される復調信号に基づいて、選択されている２つアンテナから出力される伝送信号の品質レベルを検出する。
【００２９】
これによれば、合成手段１０５に出力される復調信号を分岐するだけで、選択されている２つアンテナから出力される伝送信号の品質レベルを検出することができるため、構成を簡素化でき、検出手段１０６の小型化を図ることができる。また、アンテナから直接得られる伝送信号の電力よりも第１および第２の復調信号生成手段１０３、１０４から得られる復調信号の電力が低いため、検出手段１０６は低電力によって品質レベルの検出をおこなうことができ、省電力化を図ることができる。また、パイロット信号の情報やビットエラーレートなど復調信号から得られる品質レベルを検出してアンテナ選択を行うことができる。
【００３０】
また、制御手段１０７は、選択手段１０２によって選択されている２つのアンテナのうち、いずれか一方のアンテナから出力された伝送信号の品質レベルが所定レベルより低い場合には、一方のアンテナに代えて、選択されていないアンテナを順次選択するように選択手段１０２を制御することができる。これによれば、伝送信号の品質レベルが所定レベルより低くなった一方のアンテナを他のアンテナに切り換えることとしたため、両方のアンテナを同時に切り換える場合に発生する切り換えノイズを低減することができる。
【００３１】
さらに、制御手段１０７は、選択手段１０２によって選択されている２つのアンテナから出力された伝送信号の品質レベルがいずれも所定レベルより低い場合には、選択手段１０２によって選択されている２つのアンテナのうちの一方のアンテナに代えて、選択されていないアンテナを順次選択するように選択手段１０２を制御することもできる。これによれば、伝送信号の品質レベルが所定レベルより低くなった一方のアンテナを他のアンテナに切り換えることとしたため、両方のアンテナを同時に切り換える場合に発生する切り換えノイズを低減することができる。
【００３２】
また、検出手段１０６は、選択手段１０２によって順次選択されたアンテナから出力された伝送信号の品質レベルを検出することによって、各々のアンテナから出力された伝送信号の品質レベルを検出することができる。この場合、制御手段１０７は、この検出手段１０６によって検出された、各々のアンテナから出力される伝送信号の品質レベルに基づいて選択手段１０２を制御することができる。
【００３３】
これによれば、２本分のアンテナから出力される伝送信号の品質レベルを検出する検出手段１０６によって、すべてのアンテナから出力される伝送信号の品質レベルを検出することができる。換言すれば、検出手段１０６はアンテナの本数分の接続線は必要なく、第１および第２の復調信号生成手段１０４に接続する２本分の接続線で足りるため、接続線の本数を抑制することにより、検出手段１０６の小型化を図ることができる。
【００３４】
また、上述した図１に示した受信機１００および図２に示した受信機２００において、制御手段１０７は、選択手段１０２によって選択されている２つのアンテナを両方とも変更する場合に、アンテナを１つずつ変更するように選択手段１０２を制御することもできる。これによれば、アンテナの変更を一つずつおこなうため、両方のアンテナを同時に切り換える場合に発生する切り換えノイズを低減することができる。
【００３５】
さらに、上述した図１に示した受信機１００および図２に示した受信機２００において、検出手段１０６によって検出された、３以上のアンテナ１０１から出力される伝送信号の品質レベルを記憶する記憶手段１０８を備えることもできる。この場合、制御手段１０７は、記憶手段１０８に記憶されている、３以上のアンテナ１０１から出力された伝送信号の品質レベルに基づいて選択手段１０２を制御することができる。
【００３６】
これによれば、記憶手段１０８に各アンテナから出力された伝送信号の品質レベルを記憶しておくことができ、記憶されている品質レベルどうしを比較することができる。したがって、各品質レベルを相対的に順位付けすることができ、この順位から最適なアンテナを選択することができる。
【００３７】
また、上述した図１に示した受信機１００および図２に示した受信機２００において、制御手段１０７は、第１の復調信号生成手段１０３によって生成された復調信号と第２の復調信号生成手段１０４によって生成された復調信号との合成比率を変更するように合成手段１０５を制御することもできる。
【００３８】
これによれば、選択手段１０２によって選択されているアンテナから出力される伝送信号の品質レベルに応じて合成比率を変化させることにより、合成手段１０５から出力される合成信号の品質レベルの向上を図ることができる。具体的には、例えば、選択されているアンテナのうち一方のアンテナから出力される伝送信号Ａの品質レベルが所定レベル以上であり、他方のアンテナから出力される伝送信号Ｂの品質レベルが所定レベルよりも低く、かつノイズが所定量よりも多く検出された場合、伝送信号Ａを復調した復調信号ａの割合が伝送信号Ｂを復調した復調信号ｂの割合より高くなる比率で合成することにより、各伝送信号の品質レベルの状況に応じて合成手段１０５を制御することで高品質の合成信号を出力することができる。この合成比率はあらかじめ設定された比率を用いてもよく、両品質レベルの比率を用いることとしてもよい。
【００３９】
また、上述した実施の形態にかかる受信機１００、２００では、第１の復調信号生成手段１０３および第２の復調信号生成手段１０４によってそれぞれ復調信号を生成することとしているが、復調信号を生成する手段は、２つに限定されず、３以上設けることとしてもよい。なお、この場合に、アンテナの数は復調信号を生成する手段の数よりも多い数を設ける。
【実施例】
【００４０】
つぎに、上述した実施の形態にかかる受信機の一例を示す実施例であるダイバーシティ受信装置について説明する。図３は、上述した実施の形態にかかる受信機の一実施例であるダイバーシティ受信装置のハードウェア構成を示すブロック図である。この実施例では、一例として、アンテナの本数を４本とし、チューナの数を２個として説明する。
【００４１】
この実施例のダイバーシティ受信装置３００は、４本のアンテナ３０１ａ〜３０１ｄと、４つの分配器３０２ａ〜３０２ｄと、第１のＲＦスイッチ３０３と、第２のＲＦスイッチ３０４と、第１のチューナ３０５と、第２のチューナ３０６と、合成回路３１１と、制御回路３１２と、から構成されている。各分配器３０２ａ〜３０２ｄは、それぞれアンテナ３０１ａ〜３０１ｄごとに設けられ、ＯＦＤＭ信号を含む電波を受信したことによりアンテナ３０１ａ〜３０１ｄから出力される伝送信号としての無線周波数信号を各ＲＦスイッチ３０３、３０４に分配する。
【００４２】
第１のＲＦスイッチ３０３および第２のＲＦスイッチ３０４はそれぞれ、分配器３０２ａ〜３０２ｄに接続されており、分配器３０２ａ〜３０２ｄを介してアンテナ３０１ａ〜３０１ｄから出力される無線周波数信号を入力する。また、第１のＲＦスイッチ３０３および第２のＲＦスイッチ３０４はそれぞれ、第１のチューナ３０５および第２のチューナ３０６に接続されている。ここでは、第１のＲＦスイッチ３０３は、アンテナ３０１ａと第１のチューナ３０５とを接続し、第２のＲＦスイッチ３０４は、アンテナ３０１ｂと第２のチューナ３０６とを接続していることとする。
【００４３】
そして、第１のＲＦスイッチ３０３および第２のＲＦスイッチ３０４はそれぞれ、第１のチューナ３０５および第２のチューナ３０６との接続を、いずれかのアンテナ３０１ｃ、３０１ｄに切り換えて再接続する。この第１のＲＦスイッチ３０３および第２のＲＦスイッチ３０４は、図１および図２に示した選択手段１０２を構成する。
【００４４】
第１のチューナ３０５は、フロントエンド３０７と、ＯＦＤＭ復調回路３０９と、から構成されている。同様に、第２のチューナ３０６は、フロントエンド３０８と、ＯＦＤＭ復調回路３１０と、から構成されている。フロントエンド３０７、３０８は、各ＲＦスイッチ３０３、３０４と接続されており、各ＲＦスイッチ３０３、３０４から出力された無線周波数信号を中間周波数のＯＦＤＭ信号に変換する。各フロントエンド３０７、３０８は、図示はしないが、具体的には、たとえば、アッテネータ、アンプ、ＡＧＣ回路、バンドパスフィルタ、ミキサなどによって構成されている。
【００４５】
各ＯＦＤＭ復調回路３０９、３１０は、各フロントエンド３０７、３０８から出力された中間周波数のＯＦＤＭ信号をＯＦＤＭ復調信号に復調する。このＯＦＤＭ復調回路３０９、３１０は、図示はしないが、具体的には、たとえば、中間周波数のＯＦＤＭ信号をデジタル変換するＡ／Ｄ変換器と、デジタル変換された中間周波数のＯＦＤＭ信号を複素ベースバンドのＯＦＤＭ信号に変換する直交復調回路と、複素ベースバンドのＯＦＤＭ信号に高速フーリエ変換処理を施して周波数軸上のＯＦＤＭ信号に変換する高速フーリエ変換器などから構成され、合成回路３１１に、このＯＦＤＭ復調信号を出力する。
【００４６】
各ＯＦＤＭ復調回路３０９、３１０は、図７および図８に示すように、ＯＦＤＭ復調信号のシンボル区間が開始する都度、制御回路３１２に同期信号を出力する。また、この第１のチューナ３０５は、図１および図２に示した第１の復調信号生成手段１０３を構成し、第２のチューナ３０６は、図１および図２に示した第２の復調信号生成手段１０４を構成する。
【００４７】
合成回路３１１は、第１のチューナ３０５および第２のチューナ３０６から出力されたＯＦＤＭ復調信号を、選択合成や最大比合成などの周知の合成手法によって合成処理をおこない、合成ＯＦＤＭ復調信号を出力する。この合成回路３１１は、図１および図２に示した合成手段１０５を構成する。
【００４８】
制御回路３１２は、たとえば、２つのＡ／Ｄ変換器３１３、３１４と、ＣＰＵ３１５と、ＲＡＭ３１６と、ＲＯＭ３１７と、Ｉ／Ｆ３１８と、これらの構成３１３〜３１８を接続するバス３１９と、から構成される。各Ａ／Ｄ変換器３１３、３１４はそれぞれ、フロントエンド３０７、３０８から出力される中間周波数のＯＦＤＭ信号をデジタル変換する。ＣＰＵ３１５は、ダイバーシティ受信装置３００の全体の制御を司る。ＲＡＭ３１６は、ＣＰＵ３１５のワークエリアとして使用される。ＲＯＭ３１７は、ダイバーシティ受信装置３００を制御するプログラムを記憶している。
【００４９】
Ｉ／Ｆ３１８は、第１のＲＦスイッチ３０３および第２のＲＦスイッチ３０４に対し、アンテナ切換信号を出力する。この制御回路３１２は、図２に示した制御手段１０７、検出手段１０６および記憶手段１０８を構成する。換言すれば、図２に示した制御手段１０７および検出手段１０６は、具体的には、たとえば、この図３に示したＲＯＭ３１７、ＲＡＭ３１６などの記録媒体に格納されているプログラムを、ＣＰＵ３１５が実行することによってその機能を実現することができる。また、図２に示した記憶手段１０８は、具体的には、たとえば、この図３に示したＲＯＭ３１７、ＲＡＭ３１６などの記録媒体によって実現することができる。
【００５０】
また、Ａ／Ｄ変換器３１３、３１４をアンテナ３０１ａ〜３０１ｄの本数（この例では４本）分備え、アンテナ３０１ａ〜３０１ｄに接続する構成とすることもできる。これによれば、どのアンテナ３０１ａ〜３０１ｄから出力される伝送信号も制御回路３１２によって検出することができる。この場合の制御回路３１２は、図１に示した制御手段１０７、検出手段１０６および記憶手段１０８を構成する。換言すれば、図１に示した制御手段１０７および検出手段１０６は、具体的には、たとえば、この図３に示したＲＯＭ３１７、ＲＡＭ３１６などの記録媒体に格納されているプログラムを、ＣＰＵ３１５が実行することによってその機能を実現することができる。また、図１に示した記憶手段１０８は、具体的には、たとえば、この図３に示したＲＯＭ３１７、ＲＡＭ３１６などの記録媒体によって実現することができる。
【００５１】
つぎに、この実施例にかかるダイバーシティ受信処理手順について説明する。図４〜図６は、この実施例にかかるダイバーシティ受信処理手順を示すフローチャート、図７および図８は、この実施例にかかるダイバーシティ受信処理手順を示すタイミングチャートである。なお、初期状態として、第１のＲＦスイッチ３０３は、アンテナ３０１ａと第１のチューナ３０５とを接続しており、第２のＲＦスイッチ３０４は、アンテナ３０１ｂと第２のチューナ３０６とを接続しているものとし、アンテナ３０１ｃおよびアンテナ３０１ｄは、第１のチューナ３０５および第２のチューナ３０６のいずれにも接続されていないものとする。
【００５２】
また、図７のタイミングチャートは、一例として第１のチューナ３０５に接続されるアンテナ３０１ａを切り換える場合のタイミングチャートであり、図８のタイミングチャートは、第１のチューナ３０５および第２のチューナ３０６に接続されるアンテナ３０１ａ、３０１ｂを切り換えるタイミングチャートである。そして、図７および図８のタイミングチャートでは、１シンボル期間ＳがガードインターバルＧとＦＴＴ窓期間Ｆとからなる第１のチューナ３０５のＯＦＤＭ信号、第１のチューナ３０５から出力される同期信号、所定値Ｔを有し第１のチューナ３０５から出力される中間周波数信号の電力、１シンボル期間ＳがガードインターバルＧとＦＴＴ窓期間Ｆとからなる第２のチューナ３０６のＯＦＤＭ信号、第２のチューナ３０６から出力される同期信号、所定値Ｔを有し第２のチューナ３０６から出力される中間周波数信号の電力、ダイバー検出期間、第１のチューナ３０５のアンテナ切換、第２のチューナ３０６のアンテナ切換、アンテナ決定処理をあらわしている。
【００５３】
図４に示すように、まず、電波を受信した場合（ステップＳ４０１：Ｙｅｓ）、第１のチューナ３０５および第２のチューナ３０６は、各ＲＦスイッチ３０３、３０４を介して、無線周波数のＯＦＤＭ信号を入力する。第１のチューナ３０５および第２のチューナ３０６に入力された無線線周波数のＯＦＤＭ信号は、各フロントエンド３０７、３０８によって中間周波数のＯＦＤＭ信号に変換される。各中間周波数のＯＦＤＭ信号は、各フロントエンド３０７、３０８から制御回路３１２に入力される。そして、第１のチューナ３０５から制御回路３１２に出力された中間周波数のＯＦＤＭ信号の電力と、第２のチューナ３０６から制御回路３１２に出力された中間周波数のＯＦＤＭ信号の電力とを品質レベルとして検出する（ステップＳ４０２）。
【００５４】
つぎに、図７および図８に示すように、第１のチューナ３０５から出力された中間周波数のＯＦＤＭ信号の電力が、所定値Ｔよりも低いか否かを判定するとともに、第２のチューナ３０６から出力された中間周波数のＯＦＤＭ信号の電力が、所定値Ｔよりも低いか否かを判定する（ステップＳ４０３〜ステップＳ４０５）。
【００５５】
第１のチューナ３０５から出力された中間周波数のＯＦＤＭ信号の電力のみが、所定値Ｔよりも低いと判定された場合（ステップＳ４０３：Ｙｅｓ、ステップＳ４０４：Ｎｏ）、図５に示すように、所定値Ｔよりも低くなった時からガードインターバル期間の開始までの期間（以下、この期間を「ダイバー検出期間」と称す。）中、第１のチューナ３０５から出力された中間周波数のＯＦＤＭ信号の電力を検出し、ＲＡＭ３１６に記憶する（ステップＳ５０１）。
【００５６】
そして、ガードインターバル期間の開始タイミングであるか否かを判別する（ステップＳ５０２）。ガードインターバル期間の開始タイミングは同期信号を検出することができる場合は同期信号を検出したタイミングであり、同期信号を検出することができない場合は図示しないカウンタなどによりガードインターバル期間の開始と推定されたタイミングである。ガードインターバル期間の開始タイミングでないと判別された場合（ステップＳ５０２：Ｎｏ）、ステップＳ５０１に戻る。
【００５７】
一方、ガードインターバル期間の開始タイミングであると判別された場合（ステップＳ５０２：Ｙｅｓ）、第１のチューナ３０５に接続されるアンテナの切換回数ｉをｉ＝０、未接続アンテナ数ＩをＩ＝２とし（ステップＳ５０３）、ガードインターバル期間中に、第１のＲＦスイッチ３０３を制御して、アンテナ３０１ａから、いずれのチューナ３０５、３０６にも接続されていないアンテナ３０１ｃに切り換える（ステップＳ５０４）。そして、アンテナ３０１ｃによって電波が受信されることによって第１のチューナ３０５から出力される中間周波数のＯＦＤＭ信号の電力を検出し、この検出した電力を比較データとしてＲＡＭ３１６に記憶する（ステップＳ５０５）。
【００５８】
そして、アンテナの切換回数ｉを一つインクリメントする（ステップＳ５０６）。そして、アンテナの切換回数ｉが、未接続アンテナ数Ｉ（Ｉ＝２）に達していない場合（ステップＳ５０７：Ｎｏ）、ステップＳ５０４に戻る。一方、未接続アンテナ数Ｉ（Ｉ＝２）に達した場合（ステップＳ５０７：Ｙｅｓ）、アンテナ決定処理をおこなう。この場合、ダイバー検出期間中の検出電力は、ダイバー検出期間中に検出された電力の最大値を抽出してもよく、最小値を抽出してもよい。また、ダイバー検出期間中の電力を平均化し、平均値として抽出してもよい。
【００５９】
そして、このアンテナ決定処理において、ダイバー検出期間中の検出電力と比較データの電力に基づいて、ＯＦＤＭ信号を受信するアンテナを決定する（ステップＳ５０８）。この決定処理は、具体的には、たとえば、ダイバー検出期間中の検出電力と比較データの電力のうち、最も電力が高いＯＦＤＭ信号を受信するアンテナに決定することができる。また、いずれの比較データの電力もダイバー検出期間中の検出電力より高い場合は、比較データの電力を受信するアンテナであれば、いずれのアンテナに決定することができる。一方、いずれの比較データの電力もダイバー検出期間中の検出電力以下の場合は、ダイバー検出期間中の電力のＯＦＤＭ信号を受信したアンテナに決定することができる。
【００６０】
そして、第１のＲＦスイッチ３０３を制御して、決定されたアンテナと第１のチューナ３０５とを接続する（ステップＳ５０９）。この後、第１のチューナ３０５から出力されるＯＦＤＭ復調信号と、第２のチューナ３０６から出力されるＯＦＤＭ復調信号を合成する（ステップＳ５１０）。これにより、高品質の合成ＯＦＤＭ復調信号を出力することができる。このあと、ステップＳ４０１に戻る。
【００６１】
また、第２のチューナ３０６から出力された中間周波数のＯＦＤＭ信号の電力のみが、所定値Ｔよりも低いと判定された場合（ステップＳ４０３：Ｎｏ、ステップＳ４０５：Ｙｅｓ）、図５に示すように、ダイバー検出期間中、第２のチューナ３０６から出力された中間周波数のＯＦＤＭ信号の電力を検出し、ＲＡＭ３１６に記憶する（ステップＳ５１１）。
【００６２】
そして、ガードインターバル期間の開始タイミングでないと判別された場合（ステップＳ５１２：Ｎｏ）、ステップＳ５１１に戻る。一方、ガードインターバル期間の開始タイミングであると判別された場合（ステップＳ５１２：Ｙｅｓ）、第２のチューナ３０６に接続されるアンテナの切換回数ｊをｊ＝０、未接続アンテナ数ＪをＪ＝２とし（ステップＳ５１３）、ガードインターバル期間中に、第２のＲＦスイッチ３０４を制御して、アンテナ３０１ｂから、いずれのチューナ３０５、３０６にも接続されていないアンテナ３０１ｃに切り換える（ステップＳ５１４）。そして、アンテナ３０１ｃによって電波が受信されることによって第２のチューナ３０６から出力される中間周波数のＯＦＤＭ信号の電力を検出し、この検出した電力を比較データとしてＲＡＭ３１６に記憶する（ステップＳ５１５）。
【００６３】
そして、アンテナの切換回数ｊを一つインクリメントする（ステップＳ５１６）。そして、アンテナの切換回数ｊが、未接続アンテナ数Ｊ（Ｊ＝２）に達していない場合（ステップＳ５１７：Ｎｏ）、ステップＳ５１４に戻る。一方、未接続アンテナ数Ｊ（Ｊ＝２）に達した場合（ステップＳ５１７：Ｙｅｓ）、アンテナ決定処理をおこなう（ステップＳ５１８）。この場合、ダイバー検出期間中の検出電力は、ダイバー検出期間中に検出された電力の最大値を抽出してもよく、最小値を抽出してもよい。また、ダイバー検出期間中の電力を平均化し、平均値として抽出してもよい。
【００６４】
そして、このアンテナ決定処理において、ダイバー検出期間中の検出電力と比較データの電力に基づいて、ＯＦＤＭ信号を受信するアンテナを決定する。この決定処理の具体例は、上述したステップＳ５０８と同一であるので、ここでは省略する。そして、第２のＲＦスイッチ３０４を制御して、決定されたアンテナと第２のチューナ３０６とを接続し（ステップＳ５１９）、ステップＳ５１０に移行する。これにより、高品質の合成ＯＦＤＭ復調信号を出力することができる。
【００６５】
また、第１のチューナ３０５および第２のチューナ３０６から出力された中間周波数のＯＦＤＭ信号の電力がともに、所定値Ｔより低いと判定された場合（ステップＳ４０３：Ｙｅｓ、ステップＳ４０４：Ｙｅｓ）、図６に示すように、ダイバー検出期間中、第１のチューナ３０５および第２のチューナ３０６から出力された中間周波数のＯＦＤＭ信号の電力を検出し、ＲＡＭ３１６に記憶する（ステップＳ６０１）。
【００６６】
そして、ガードインターバル期間の開始タイミングでないと判別された場合（ステップＳ６０２：Ｎｏ）、ステップＳ６０１に戻る。一方、ガードインターバル期間の開始タイミングであると判別された場合（ステップＳ６０２：Ｙｅｓ）、第２のチューナ３０６に接続されるアンテナの切換回数ｋをｋ＝０、未接続アンテナ数ＫをＫ＝２とし（ステップＳ６０３）、ガードインターバル期間中に、第２のＲＦスイッチ３０４を制御して、アンテナ３０１ｂから、第１のチューナ３０５および第２のチューナ３０６のいずれにも接続されていないアンテナ３０１ｃに切り換える（ステップＳ６０４）。そして、アンテナ３０１ｃによって電波が受信されることによって第２のチューナ３０６から出力される中間周波数のＯＦＤＭ信号の電力を検出し、この検出した電力を比較データとしてＲＡＭ３１６に記憶する（ステップＳ６０５）。
【００６７】
そして、アンテナの切換回数ｋを一つインクリメントする（ステップＳ６０６）。そして、アンテナの切換回数ｋが、未接続アンテナ数Ｋ（Ｋ＝２）に達していない場合（ステップＳ６０７：Ｎｏ）、ステップＳ６０４に戻る。一方、未接続アンテナ数Ｋ（Ｋ＝２）に達した場合（ステップＳ６０７：Ｙｅｓ）、アンテナ決定処理をおこなう（ステップＳ６０８）。この場合、ダイバー検出期間中の検出電力は、ダイバー検出期間中に検出された電力の最大値を抽出してもよく、最小値を抽出してもよい。また、ダイバー検出期間中の電力を平均化し、平均値として抽出してもよい。
【００６８】
そして、このアンテナ決定処理において、ダイバー検出期間中の検出電力と比較データの電力に基づいて、ＯＦＤＭ信号を受信するアンテナを決定する。この決定処理は、具体的には、たとえば、ダイバー検出期間中の検出電力と比較データの電力のうち電力が高い上位２つのＯＦＤＭ信号を受信するアンテナに決定することができる。そして、第１のＲＦスイッチ３０３および第２のＲＦスイッチ３０４を制御して、決定されたアンテナと、第１のチューナ３０５および第２のチューナ３０６とを接続し（ステップＳ６０９）、ステップＳ５１０に移行する。これにより、高品質の合成ＯＦＤＭ復調信号を出力することができる。また、第１のＲＦスイッチ３０３および第２のＲＦスイッチ３０４の切換えを同時におこなわず、タイミングをずらして切り換えることで、切換えノイズの発生を抑制することができ、高品質のＯＦＤＭ復調信号を出力することができる。
【００６９】
また、図３に示すように、第１のチューナ３０５および第２のチューナ３０６から出力された中間周波数のＯＦＤＭ信号の電力がともに、所定値Ｔ以上と判定された場合（ステップＳ４０３：Ｎｏ、ステップＳ４０５：Ｎｏ）、図５に示すように、アンテナを切り換えずに、第１のチューナ３０５および第２のチューナ３０６から出力された中間周波数のＯＦＤＭ信号を復調し、各ＯＦＤＭ復調信号を合成することとなる（ステップＳ５１０）。
【００７０】
以上説明したように、この実施例のダイバーシティ受信装置３００によれば、アンテナの切換に応じて、いずれのチューナ３０５、３０６も、電波の受信を継続するマスターチューナにすることができ、また、アンテナの切換接続をするスレーブチューナにもすることができる。したがって、複数のアンテナ３０１ａ〜３０１ｄの切換回数を最小限に抑えて、複数のアンテナ３０１ａ〜３０１ｄのうち受信品質が高いアンテナと、各チューナ３０５、３０６とを接続することができ、常に高品質のＯＦＤＭ復調信号を出力することができる。
【００７１】
また、上述した実施例では、品質レベルとして、中間周波数のＯＦＤＭ信号の電力を用いて、アンテナの切換制御をおこなうこととしたが、各ＯＦＤＭ復調回路から得られるパイロット信号の情報やビットエラーレートなどを用いてアンテナの切換え制御をおこなうこととしてもよい。
【００７２】
なお、本実施の形態で説明した受信機は、予め用意した受信制御用プログラムをパーソナル・コンピュータ等のコンピュータで実行することにより制御することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【００７３】
以上のように、本実施の形態にかかる受信機、受信方法、受信制御用プログラム及び記録媒体は、たとえば、デジタルテレビ受信装置や電話機に有用であり、特に、車載型または携帯型のデジタルテレビ受信装置や携帯電話機などのダイバーシティ受信装置に適している。
【図面の簡単な説明】
【００７４】
【図１】この発明の実施の形態にかかる受信機の機能的構成を示すブロック図である。
【図２】この発明の実施の形態にかかる受信機の機能的構成の他の例を示すブロック図である。
【図３】この発明の実施の形態にかかる受信機の一実施例であるダイバーシティ受信装置のハードウェア構成を示すブロック図である。
【図４】この実施例にかかるダイバーシティ受信処理手順を示すフローチャート（その１）である。
【図５】この実施例にかかるダイバーシティ受信処理手順を示すフローチャート（その２）である。
【図６】この実施例にかかるダイバーシティ受信処理手順を示すフローチャート（その３）である。
【図７】この実施例にかかるダイバーシティ受信処理手順を示すタイミングチャート（その１）である。
【図８】この実施例にかかるダイバーシティ受信処理手順を示すタイミングチャート（その２）である。
【符号の説明】
【００７５】
１００  受信機
１０１  アンテナ
１０２  選択手段
１０３  第１の復調信号生成手段
１０４  第２の復調信号生成手段
１０５  合成手段
１０６  検出手段
１０７  制御手段
１０８  記憶手段
２００  受信機
【図１】
2005159539.tif 000003
【図２】
2005159539.tif 000004
【図３】
2005159539.tif 000005
【図４】
2005159539.tif 000006
【図５】
2005159539.tif 000007
【図６】
2005159539.tif 000008
【図７】
2005159539.tif 000009
【図８】
2005159539.tif 000010